【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
記録媒体から画像を読み出す読み出し手段と、
複数の前記画像を、該画像の属性情報に応じて複数のグループに分類する分類手段と、
前記複数のグループのそれぞれを代表する代表画像を表示するよう制御する表示制御手段と、
前記分類手段によって分類された前記複数のグループのうち、１つのグループに含まれる画像と、他のグループに含まれる画像とを比較する比較手段と、
前記比較手段による比較結果に基づいて、前記１つのグループに含まれる画像のうち、前記他のグループの代表画像と重複しない画像を前記１つのグループの代表画像として決定する決定手段と、
を有することを特徴とする表示制御装置。
【請求項２】
前記決定手段は、前記他のグループの代表画像と重複しない画像のうち、前記分類手段による分類に利用された前記属性情報が最も少ない画像に対応する画像を前記１つのグループの代表画像として決定することを特徴とする請求項１に記載の表示制御装置。
【請求項３】
前記比較手段は、前記１つのグループに含まれる画像と、前記他のグループの代表画像とを比較することを特徴とする請求項１又は２に記載の表示制御装置。
【請求項４】
前記決定手段は、前記他のグループの代表画像と重複しない画像のうち、前記画像の生成順に付与されるファイル番号が最も小さい画像に対応する画像を前記１つのグループの代表画像として決定することを特徴とする請求項１に記載の表示制御装置。
【請求項５】
被写体を撮像する撮像手段を更に有し、
前記記録媒体は、前記撮像手段によって撮像された画像を記録する記録媒体であることを特徴とする請求項１乃至４のうちいずれか１項に記載の表示制御装置。
【請求項６】
記録媒体から画像を読み出す読み出し手段と、
複数の前記画像を、該画像の属性情報に応じて複数のグループに分類する分類手段と、
前記複数のグループのそれぞれを代表する代表画像を表示するよう制御する表示制御手段と、
前記分類手段によって分類された前記複数のグループのうち、１つのグループに含まれる画像の中から、前記分類手段による分類に利用された前記属性情報が最も少ない画像に対応する画像を該１つのグループの代表画像として決定する決定手段と、
を有することを特徴とする表示制御装置。
【請求項７】
表示制御装置の制御方法であって、
読み出し手段が、記録媒体から画像を読み出す読み出しステップと、
分類手段が、複数の前記画像を、該画像の属性情報に応じて複数のグループに分類する分類ステップと、
表示制御手段が、前記複数のグループのそれぞれを代表する代表画像を表示するよう制御する表示制御ステップと、
比較手段が、前記分類ステップで分類された前記複数のグループのうち、１つのグループに含まれる画像と、他のグループに含まれる画像とを比較する比較ステップと、
決定手段が、前記比較ステップによる比較に基づいて、前記１つのグループに含まれる画像のうち、前記他のグループの代表画像と重複しない画像を前記１つのグループの代表画像として決定する決定ステップと、
を有することを特徴とする制御方法。
【請求項８】
表示制御装置の制御方法であって、
読み出し手段が、記録媒体から画像を読み出す読み出しステップと、
分類手段が、複数の画像を、該画像の属性情報に応じて複数のグループに分類する分類ステップと、
表示制御手段が、前記複数のグループのそれぞれを代表する代表画像を表示するよう制御する表示制御ステップと、
決定手段が、前記分類ステップで分類された複数のグループのうち、１つのグループに含まれる画像の中から、前記分類ステップによる分類に利用された前記属性情報が最も少ない画像に対応する画像を該１つのグループの代表画像として決定する決定ステップと、
を有することを特徴とする制御方法。
【請求項９】
コンピュータを、請求項１又は６に記載の表示制御装置の各手段として機能させるためのプログラム。
【請求項１０】
コンピュータを、請求項１又は６に記載の表示制御装置の各手段として機能させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】表示制御装置、表示制御装置の制御方法、プログラム及び記録媒体
【手続補正３】
【補正対象書類名】明細書
【補正対象項目名】０００１
【補正方法】変更
【補正の内容】
【０００１】
本発明は、表示制御装置、表示制御装置の制御方法、プログラム及び記録媒体に関する。
【手続補正４】
【補正対象書類名】明細書
【補正対象項目名】０００５
【補正方法】変更
【補正の内容】
【０００５】
本発明は、このような従来技術の課題に鑑みて、複数の画像を含むグループに適した代表画像を表示して、ユーザの利便性を向上させることができる技術を提供することを例示的目的とする。
【手続補正５】
【補正対象書類名】明細書
【補正対象項目名】０００６
【補正方法】変更
【補正の内容】
【０００６】
上記目的を達成するために、本発明の第１の側面としての表示制御装置は、記録媒体から画像を読み出す読み出し手段と、複数の前記画像を、該画像の属性情報に応じて複数のグループに分類する分類手段と、前記複数のグループのそれぞれを代表する代表画像を表示するよう制御する表示制御手段と、前記分類手段によって分類された前記複数のグループのうち、１つのグループに含まれる画像と、他のグループに含まれる画像とを比較する比較手段と、前記比較手段による比較結果に基づいて、前記１つのグループに含まれる画像のうち、前記他のグループの代表画像と重複しない画像を前記１つのグループの代表画像として決定する決定手段と、を有することを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００２０
【補正方法】変更
【補正の内容】
【００２０】
本発明によれば、例えば、複数の画像を含むグループに適した代表画像を表示して、ユーザの利便性を向上させることができる技術を提供することができる。
【手続補正１９】
【補正対象書類名】図面
【補正対象項目名】図３０
【補正方法】変更
【補正の内容】
【図３０】
2009152697.tif 000001